(57)【要約】【課題】厚紙の搬送性能を確保しつつ省スペース化することができる画像形成装置を提供する。【解決手段】記録媒体を送り出す第１給紙装置と、第１給紙装置と対向して記録媒体を送り出す第２給紙装置と、一方向及び他方向に回転する駆動ロールと、駆動ロールの外周の一方に接して従動回転する第１従動ロールと、駆動ロールの外周の他方に接して従動回転する第２従動ロールと、を備え、一方向に回転する駆動ロールと第１従動ロールが協働して第１給紙装置から送り出された記録媒体を搬送し、他方向に回転する駆動ロールと第２従動ロールが協働して第２給紙装置から送り出される記録媒体を搬送する。【選択図】図４
2017202918.tif 000002
【特許請求の範囲】
【請求項１】
記録媒体を送り出す第１給紙装置と、
前記第１給紙装置と対向して記録媒体を送り出す第２給紙装置と、
一方向及び他方向に回転する駆動ロールと、
前記駆動ロールの外周の一方に接して従動回転する第１従動ロールと、
前記駆動ロールの外周の他方に接して従動回転する第２従動ロールと、を備え、
前記一方向に回転する前記駆動ロールと前記第１従動ロールが協働して前記第１給紙装置から送り出された前記記録媒体を搬送し、前記他方向に回転する前記駆動ロールと前記第２従動ロールが協働して前記第２給紙装置から送り出される前記記録媒体を搬送する、
ことを特徴とする画像形成装置。
【請求項２】
前記第１従動ロール及び前記第２従動ロールは、前記駆動ロールに対して前記記録媒体の搬送方向下流側で前記駆動ロールの外周と接する、
ことを特徴とする請求項１に画像形成装置。
【請求項３】
前記駆動ロールは前記第１従動ロールに対して接離可能に設けられている、
ことを特徴とする請求項１又は２に記載の画像形成装置。
【請求項４】
前記第１給紙装置の下方で記録媒体を送り出す第３給紙装置を更に備え、前記他方向に回転する前記駆動ロールと前記第２従動ロールが協働して前記第３給紙装置から送り出される前記記録媒体を搬送する、
ことを特徴とする請求項１ないし３のいずれか１項に記載の画像形成装置。
置。
【請求項５】
前記駆動ロールの前記記録媒体搬送方向下流側に、前記駆動ロールの回転軸を揺動中心として揺動自在に支持された案内部材を更に備えた、
ことを特徴とする請求項１ないし４のいずれか１項に記載の画像形成装置。
【請求項６】
前記第２給紙装置は、手差し給紙装置である、
ことを特徴とする請求項１ないし５のいずれか１項に記載の画像形成装置。
【発明の詳細な説明】
【技術分野】
【０００１】
本発明は、媒体搬送装置に関する。
【背景技術】
【０００２】
媒体が搬送される搬送路と、搬送路に設けられて媒体を搬送する搬送部材と、搬送路上に配置されて媒体を案内可能な第１の案内部と、搬送路上に配置されて媒体を案内可能な第２の案内部であって、第１の案内部に対向して第１の案内部との間で媒体が搬送可能な搬送位置と、搬送路を外部に開放する開放位置と、の間を移動可能に設けられた第２の案内部と、搬送路が開放されたか否かを検出する開放の検出手段と、搬送路の媒体の有無を検出して、搬送路に媒体が残留したか否かを検出する残留の検出手段と、搬送部材の駆動を制御する駆動制御手段であって、搬送路に媒体が残留したと判別され且つ搬送路が開放されたと判別された場合に、搬送部材を駆動して、搬送路に残留している媒体を搬送路の開放された部分に搬送する駆動制御手段と、を備えた媒体搬送装置が知られている（特許文献１）。
【先行技術文献】
【特許文献】
【０００３】
【特許文献１】特開２０１２−０７８６０４号公報
【発明の概要】
【発明が解決しようとする課題】
【０００４】
本発明は、厚紙の搬送性能を確保しつつ省スペース化することができる画像形成装置を提供することを目的とする。
【課題を解決するための手段】
【０００５】
前記課題を解決するために、請求項１に記載の画像形成装置は、
記録媒体を送り出す第１給紙装置と、
前記第１給紙装置と対向して記録媒体を送り出す第２給紙装置と、
一方向及び他方向に回転する駆動ロールと、
前記駆動ロールの外周の一方に接して従動回転する第１従動ロールと、
前記駆動ロールの外周の他方に接して従動回転する第２従動ロールと、を備え、
前記一方向に回転する前記駆動ロールと前記第１従動ロールが協働して前記第１給紙装置から送り出された前記記録媒体を搬送し、前記他方向に回転する前記駆動ロールと前記第２従動ロールが協働して前記第２給紙装置から送り出される前記記録媒体を搬送する、
ことを特徴とする。
【０００６】
請求項２に記載の発明は、請求項１に記載の画像形成装置において、
前記第１従動ロール及び前記第２従動ロールは、前記駆動ロールに対して前記記録媒体の搬送方向下流側で前記駆動ロールの外周と接する、
ことを特徴とする。
【０００７】
請求項３に記載の発明は、請求項１又は２に記載の画像形成装置において、
前記駆動ロールは前記第１従動ロールに対して接離可能に設けられている、
ことを特徴とする。
【０００８】
請求項４記載の発明は、請求項１ないし３のいずれか１項に記載の画像形成装置において、
前記第１給紙装置の下方で記録媒体を送り出す第３給紙装置を更に備え、前記他方向に回転する前記駆動ロールと前記第２従動ロールが協働して前記第３給紙装置から送り出される前記記録媒体を搬送する、
ことを特徴とする。
【０００９】
請求項５記載の発明は、請求項１ないし４のいずれか１項に記載の画像形成装置において、
前記駆動ロールの前記記録媒体搬送方向下流側に、前記駆動ロールの回転軸を揺動中心として揺動自在に支持された案内部材を更に備えた、
ことを特徴とする。
【００１０】
請求項６記載の発明は、請求項１ないし５のいずれか１項に記載の画像形成装置において、
前記第２給紙装置は、手差し給紙装置である、
ことを特徴とする。
【発明の効果】
【００１１】
請求項１、２、４及び６に記載の発明によれば、厚紙の搬送性能を確保しつつ画像形成装置本体を省スペース化することができる。
請求項３に記載の発明によれば、駆動ロールが第１従動ロールに対して接離可能ではない構成に比して、容易にジャム紙を除去することができる。
請求項５に記載の発明によれば、案内板を有しない構成に比して、搬送される用紙の先端部を確実に用紙搬送方向下流側へ案内することができる。
【図面の簡単な説明】
【００１２】
【図１】画像形成装置の内部構成を示す断面模式図である。
【図２】画像形成装置における給紙装置及び手差し給紙装置からなる用紙搬送部の断面模式図である。
【図３】搬送ロール対の配置を示す断面模式図である。
【図４】給紙装置及び手差し給紙装置からの用紙搬送を示す断面模式図である。
【図５】変形例に係る用紙搬送部を示す断面模式図である。
【図６】変形例に係る用紙搬送部における用紙搬送を示す断面模式図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１４】
（１）画像形成装置の全体構成及び動作
図１は画像形成装置１の内部構成を示す断面模式図である。
以下、図面を参照しながら、画像形成装置１の全体構成及び動作を説明する。
【００１５】
画像形成装置１は、制御装置１０、給紙装置２０、感光体ユニット３０、現像装置４０、転写装置５０、定着装置６０、手差し給紙装置７０を備えて構成されている。画像形成装置１の上面（Ｚ方向）には、画像が記録された用紙が排出・収容される排紙トレイ部Ｔが形成されている。
【００１６】
制御装置１０は、画像形成装置１の動作を制御するコントローラ１１と、コントローラ１１により作動を制御される画像処理部１２、電源装置１３等を有する。電源装置１３は、感光体ユニット３０、現像装置４０、転写装置５０等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。
【００１７】
画像形成装置１本体の底部には給紙装置２０が設けられている。給紙装置２０は、第１給紙装置の一例としての用紙トレイ２１と、第３給紙装置の一例としての用紙トレイ２２を有し、用紙トレイ２１、２２に積載された用紙Ｐは、規制板（不図示）で幅方向位置が決められ、上側から１枚ずつ用紙送り出し部２３により前方（−Ｘ方向）に送り出される。用紙送り出し部２３から送り出された用紙Ｐは、搬送ロール対２５のニップ部まで搬送される。
【００１８】
画像形成装置１本体の側方には第２給紙装置の一例としての手差し給紙装置７０が設けられている。手差し給紙装置７０は、開閉部材１００に対して折りたたみ可能で、非定形サイズの用紙、特定の厚紙、ハガキ、長尺用紙、プラスチックフィルム等の給紙装置２０では給送しにくい記録媒体を搬送ロール対２５のニップ部まで送り出す。
【００１９】
給紙装置２０、手差し給紙装置７０から送り出された用紙Ｐは搬送ロール対２５を介してレジストロール対２４まで搬送され、レジストロール対２４で先端が整列された状態で二次転写部ＴＲへ搬送される。
【００２０】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２１】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストロール対２４から送り出され、案内ガイドＳ５（図２参照）により案内された用紙Ｐに二次転写ロール５２によって一括転写される。
【００２２】
定着装置６０は一対の加熱モジュール６１と加圧モジュール６２の圧接領域によって定着ニップ部（定着領域）が形成される。
転写装置５０においてトナー像が一括転写された用紙Ｐは、トナー像が未定着の状態で搬送ガイド５３を介して定着装置６０の定着ニップ部に搬送され、一対の加熱モジュール６１と加圧モジュール６２により、圧着と加熱の作用でトナー像が定着される。定着トナー像が形成された用紙Ｐは、排出ローラ対６３から画像形成装置１上面の排紙トレイ部Ｔに排出・収容される。
【００２３】
（２）用紙搬送部の構成と動作
図２は画像形成装置１における給紙装置２０及び手差し給紙装置７０からなる用紙搬送部の断面模式図、図３は搬送ロール対２５の配置を示す断面模式図、図４は給紙装置２０及び手差し給紙装置７０からの用紙搬送を示す断面模式図である。
以下、図面を参照しながら、画像形成装置１の給紙装置２０及び手差し給紙装置７０からなる用紙搬送部の構成と用紙搬送について説明する。
【００２４】
（２．１）用紙搬送部の構成と動作
図２に示すように、画像形成装置１の用紙搬送部は、転写装置５０の下方に設けられた給紙装置２０の用紙トレイ２１、２２からの用紙送り出し部２３、画像形成装置１の側方に設けられた手差し給紙装置７０、送り出された用紙Ｐの先端側を整列して二次転写部ＴＲへ送り出すレジストロール対２４、用紙送り出し部２３、７３から送り出された用紙Ｐをレジストロール対２４へ搬送する搬送ロール対２５、を含んで構成されている。
【００２５】
用紙トレイ２１の用紙送り出し部２３は、ナジャーロール２３Ａ、フィードロール２３Ｂ、リタードロール２３Ｃから構成され、用紙トレイ２１に積載された用紙Ｐは、ナジャーロール２３Ａの回転で送り出され、逆転可能なリタードロール２３Ｃで１枚ずつ分離されながらフィードロール２３Ｂで案内ガイドＳ１を介して搬送ロール対２５へ送り込まれる。
【００２６】
用紙トレイ２２の用紙送り出し部２３は、ナジャーロール２３Ａ、フィードロール２３Ｂ、リタードロール２３Ｃから構成され、用紙トレイ２２に積載された用紙Ｐは、ナジャーロール２３ａの回転で送り出され、逆転可能なリタードロール２３Ｃで１枚ずつ分離されながらフィードロール２３Ｂで搬送ロール対２６へ送り込まれる。
搬送ロール対２６へ送り込まれた用紙Ｐは、案内ガイドＳ２を介して搬送ロール対２５へ送り込まれる。
【００２７】
手差し給紙装置７０は、積載部７１上に積載されている用紙Ｐをピックアップロール７２で搬送ロール対２７へ送り込む。搬送ロール対２７へ送り込まれた用紙Ｐは、案内ガイドＳ３を介して搬送ロール対２５へ送り込まれる。
【００２８】
用紙トレイ２１、２２の用紙送り出し部２３、手差し給紙装置７０の送り出し部７３から送り出された用紙Ｐは、搬送ロール対２５で案内ガイドＳ４を介してレジストロール対２４へ送り込まれ、レジストロール対２４で先端部が整列された状態で案内ガイドＳ５を介して二次転写部ＴＲへ送り込まれる。
【００２９】
画像形成装置１本体の側方（図１における−Ｘ方向）には、開閉部材１００が設けられている。開閉部材１００は、案内ガイドＳ２、Ｓ４、Ｓ５を一体に外部に開放する開放位置と、案内ガイドＳ２、Ｓ４、Ｓ５を一体に閉じる閉塞位置との間で開閉可能（図２中  矢印参照）に回転支持されている。
【００３０】
搬送ロール対２５は、駆動ロール２５Ａ、第１従動ロール２５Ｂ、第２従動ロール２５Ｃからなり、案内ガイドＳ１、Ｓ２、Ｓ３の合流する位置で、レジストロール対２４の用紙搬送方向上流側に配置されている。
【００３１】
駆動ロール２５Ａは、回転軸２５Ａａと、回転軸２５Ａａの外面に設けられたゴム部材からなる搬送部２５Ａｂからなり、駆動源（不図示）により一方向及び一方向とは反対方向の他方向に回転駆動可能に開閉部材１００に支持されている。
第１従動ロール２５ｂは、駆動ロール２５Ａの外周の一方に接するように付勢された状態で回転自在に画像形成装置１本体に配置されている。
第２従動ロール２５Ｃは、駆動ロール２５Ａを挟んで第１従動ロール２５Ｂの反対側で駆動ロール２５Ａの外周の他方に接するように付勢された状態で回転自在に開閉部材１００に配置されている。
【００３２】
その結果、ジャムが発生した場合には、開閉部材１００を開放位置に開放することで案内ガイドＳ２、Ｓ４、Ｓ５が一体に外部に開放されジャム紙の除去を行うことができる。
【００３３】
第１従動ロール２５Ｂは、図３に示すように、駆動ロール２５Ａに対して用紙Ｐの搬送方向下流側で駆動ロール２５Ａの外周の一方に接するように配置されている。
具体的には、駆動ロール２５Ａの回転軸２５Ａａを含む水平線（Ｘ方向）Ｌを仮想した場合に、水平線を基点として外周に沿って反時計方向（ＣＣＷ：図３  矢印参照）に回転した位置に配置されている。
そのために、用紙トレイ２１から送り出される用紙Ｐを駆動ロール２５Ａと第１従動ロール２５Ｂのニップ部Ｎ１へ案内する案内ガイドＳ１は、フィードロール２３Ｂからニップ部Ｎ１までの用紙搬送方向を大きく屈曲させることなく形成されている。
【００３４】
その結果、用紙トレイ２１から送り出される用紙Ｐを案内ガイドＳ１を介してニップ部Ｎ１に受け入れて、案内ガイドＳ４を介してレジストロール対２４のニップ部Ｎへ搬送方向を変化させながら案内することができる。
【００３５】
第２従動ロール２５Ｃは、図３に示すように、駆動ロール２５Ａに対して用紙Ｐの搬送方向下流側で駆動ロール２５Ａの外周の他方に接するように配置されている。
具体的には、駆動ロール２５Ａの回転軸２５Ａａを含む水平線（Ｘ方向）Ｌを仮想した場合に、水平線Ｌを基点として外周に沿って時計方向（ＣＷ：図３  矢印参照）に回転した位置に配置されている。
そのために、手差し給紙装置７０から送り出される用紙Ｐを駆動ロール２５Ａと第２従動ロール２５Ｃのニップ部Ｎ２へ案内する案内ガイドＳ３と、用紙トレイ２２から送り出される用紙Ｐをニップ部Ｎ２へ案内する案内ガイドＳ２は、それぞれニップ部Ｎ２までの用紙搬送方向を大きく屈曲させることなく形成されている。
【００３６】
その結果、手差し給紙装置７０から送り出される厚紙等の用紙Ｐを案内ガイドＳ３を介してニップ部Ｎ２に受け入れて、案内ガイドＳ４を介してレジストロール対２４のニップ部Ｎへ搬送方向を変化させながら案内することができる。
また、用紙トレイ２２から送り出される用紙Ｐを案内ガイドＳ２を介してニップ部Ｎ２に受け入れて、案内ガイドＳ４を介してレジストロール対２４のニップ部Ｎへ搬送方向を変化させながら案内することができる。
【００３７】
このように、一方向及び他方向に回転する駆動ロール２５Ａの外周の一方に第１従動ロール２５Ｂが接し、駆動ロール２５Ａの外周の他方に第２従動ロール２５Ｃが接して搬送ロール対２５を構成している。そのために、画像形成装置１本体の幅方向（図１  Ｘ方向）及び高さ方向（図１  Ｚ方向）を省スペース化しながら、装置下方に配置された給紙装置２０及びこれと対向して装置側方に配置された手差し給紙装置７０から送り込まれる用紙Ｐをレジストロール対２４へ搬送することができる。
【００３８】
（２．２）用紙搬送
図４（ａ）に示すように、用紙トレイ２１から用紙Ｐを給送する場合には、まずナジャーロール２３Ａが回転を開始して、用紙トレイ２１に積載された用紙Ｐを上面側からフィードロール２３Ｂとリタードロール２３Ｃとのニップ部に送り出す。フィードロール２３Ｂとリタードロール２３Ｃは協働しながら送り込まれた用紙Ｐを一枚ずつ分離して案内ガイドＳ１に向かって送り出す。
【００３９】
用紙Ｐが案内ガイドＳ１へ送り込まれると、駆動ロール２５Ａが反時計方向（ＣＣＷ：図４（ａ）矢印参照）に回転駆動され、駆動ロール２５Ａに接する第１従動ロール２５Ｂ及び第２従動ロール２５Ｃも回転し、用紙Ｐは駆動ロール２５Ａと第１従動ロール２５Ｂのニップ部Ｎ１から案内ガイドＳ４に向けて搬送される。
【００４０】
図４（ｂ）に示すように、用紙トレイ２２から用紙Ｐを給送する場合には、まずナジャーロール２３Ａが回転を開始して、用紙トレイ２２に積載された用紙Ｐを上面側からフィードロール２３Ｂとリタードロール２３Ｃとのニップ部に送り出す。フィードロール２３Ｂとリタードロール２３Ｃは協働しながら送り込まれた用紙Ｐを一枚ずつ分離して搬送ロール対２６に向かって送り出す。送り込まれた用紙Ｐは搬送ロール対２６を中継して案内ガイドＳ２に向かって搬送される。
【００４１】
用紙Ｐが案内ガイドＳ２へ送り込まれると、駆動ロール２５Ａが時計方向（ＣＷ：図４（ｂ）矢印参照）に回転駆動され、駆動ロール２５Ａに接する第１従動ロール２５Ｂ及び第２従動ロール２５Ｃも回転し、用紙Ｐは駆動ロール２５Ａと第２従動ロール２５Ｃのニップ部Ｎ２から案内ガイドＳ４に向けて搬送される。
【００４２】
図４（ｂ）に示すように、手差し給紙装置７０から用紙Ｐを給送する場合には、まずピックアップロール７２が回転を開始して、積載部７１に積載された用紙Ｐを上面側から搬送ロール対２７に向かって送り出す。送り出された用紙Ｐは、搬送ロール対２７を中継して案内ガイドＳ３に向かって搬送される。
【００４３】
用紙Ｐが案内ガイドＳ３へ送り込まれると、駆動ロール２５Ａが時計方向（ＣＷ：図４（ｂ）矢印参照）に回転駆動され、駆動ロール２５Ａに接する第１従動ロール２５Ｂ及び第２従動ロール２５Ｃも回転し、用紙Ｐは駆動ロール２５Ａと第２従動ロール２５Ｃのニップ部Ｎ２から案内ガイドＳ４に向けて搬送される。
【００４４】
それぞれの用紙トレイ２１、２２、手差し給紙装置７０から引き出された用紙Ｐはレジストロール対２４で整列されながら二次転写部ＴＲへ搬送されて二次転写ロール５２でトナー像が転写される（図１参照）。
【００４５】
「変形例」
図５は変形例に係る用紙搬送部を示す断面模式図、図６は変形例に係る用紙搬送部における用紙搬送を示す断面模式図である。
変形例に係る用紙搬送部は、図５に示すように、搬送ロール対２５が案内部材の一例としてのバッフル２８を備えている。バッフル２８は、ＰＥＴ（ポリエチレンテレフタレート）フィルム又は金属製の板状部材であり、案内ガイドＳ４内で駆動ロール２５Ａの用紙搬送方向下流側に、駆動ロール２５Ａの回転軸２５Ａａを揺動中心として揺動自在に支持されている。
【００４６】
用紙Ｐが用紙トレイ２１から送り出される場合には、図６（ａ）に示すように、搬送ロール対２５のニップ部Ｎ１から搬送される用紙Ｐの先端部がバッフル２８に接触してバッフル２８は第２従動ロール２５Ｃ側へ回転する。
その結果、用紙Ｐの搬送方向とは逆方向に回転している第２従動ロール２５ｃ表面に用紙Ｐの先端部が接触することがなく、ニップ部Ｎ１から搬送される用紙Ｐは案内ガイドＳ４内を安定してレジストロール対２４に向かって搬送される。
【００４７】
用紙Ｐが用紙トレイ２２又は手差し給紙装置７０から送り出される場合には、図６（ｂ）に示すように、搬送ロール対２５のニップ部Ｎ２から搬送される用紙Ｐの先端部がバッフル２８に接触してバッフル２８は第１従動ロール２５Ｂ側へ回転する。
その結果、用紙Ｐの搬送方向とは逆方向に回転している第１従動ロール２５Ｂ表面に用紙Ｐの先端部が接触することがなく、ニップ部Ｎ２から搬送される用紙Ｐは案内ガイドＳ４内を安定してレジストロール対２４に向かって搬送される。  
【符号の説明】
【００４８】
１・・・画像形成装置
１０・・・制御装置
２０・・・給紙装置
２１、２２・・・用紙トレイ
２３・・・送り出し部
２３Ａ・・・ナジャーロール
２３Ｂ・・・フィードロール
２３Ｃ・・・リタードロール
２４・・・レジストロール対
２５・・・搬送ロール対
２５Ａ・・・駆動ロール
２５Ｂ・・・第１従動ロール
２５Ｃ・・・第２従動ロール
２６、２７・・・搬送ロール対
２８・・・バッフル
３０・・・感光体ユニット
４０・・・現像装置
５０・・・転写装置
５２・・・二次転写ロール
６０・・・定着装置
７０・・・手差し給紙装置
７１・・・積載部
７２・・・ピックアップロール
１００・・・開閉部材
Ｐ・・・用紙
ＴＲ・・・二次転写部
【図１】
2017202918.tif 000003
【図２】
2017202918.tif 000004
【図３】
2017202918.tif 000005
【図４】
2017202918.tif 000006
【図５】
2017202918.tif 000007
【図６】
2017202918.tif 000008